(57)【要約】【課題】ネットワークへの余分な負荷を軽減可能なネットワークを提供する。【解決手段】サーバ１２は中間層２のルータ２１，２２に、最下位層４のネットワーク４１〜４３に向けてのスタティックルートを設定するように作成要求メッセージを送信する。ルータ２１，２２は設定するスタティックルートのアドレスを自装置において接続経路として持っていなければ、スタティックルートを作成し、最上位層１に接続しているインタフェースをデフォルトルートに設定してそれらの情報をルータ１１とサーバ１２とに送る。サーバ１２は受取ったスタティックルートの情報をルーティングテーブルに反映させる。【選択図】      図１
2004356781.tif 000002
【特許請求の範囲】
【請求項１】
サーバと複数のルータとが階層構造で構成され、最下層に他のネットワークが接続されるネットワークであって、
前記他のネットワークへのスタティックルートの設定を前記複数のルータ各々に指示する手段を有し、
前記スタティックルートの設定指示を受信した時に前記他のネットワークへのスタティックルートを生成する手段を前記複数のルータ各々に有し、
前記複数のルータ各々で生成されるスタティックルートにて構築されたことを特徴とするネットワーク。
【請求項２】
前記スタティックルートの設定を指示する手段は、前記スタティックルートに関して前記ルータ間に前記スタティックルートを張るという命令を出し、
前記スタティックルートを生成する手段は、当該命令に応答して自動的に前記スタティックルートを前記ルータ間に生成することを特徴とする請求項１記載のネットワーク。
【請求項３】
前記スタティックルートを生成する手段は、生成するスタティックルートを接続経路として自装置に保持しているか否かを判定し、自装置に保持していない時に当該スタティックルートを生成することを特徴とする請求項１または請求項２記載のネットワーク。
【請求項４】
前記複数のルータとの経路情報を蓄積するルーティングテーブルを前記サーバに含み、前記複数のルータ各々からの前記スタティックルートの情報を前記ルーティングテーブルに反映させることを特徴とする請求項１から請求項３のいずれか記載のネットワーク。
【請求項５】
前記スタティックルートの設定を指示する手段は、前記サーバ側に配設されたことを特徴とする請求項１から請求項４のいずれか記載のネットワーク。
【請求項６】
前記スタティックルートの設定を指示する手段は、前記他のネットワーク側に配設されたことを特徴とする請求項１から請求項４のいずれか記載のネットワーク。
【請求項７】
サーバと複数のルータとが階層構造で構成され、最下層に他のネットワークが接続されるネットワークの構築方法であって、前記他のネットワークへのスタティックルートの設定を前記複数のルータ各々に指示し、前記複数のルータ各々が前記スタティックルートの設定指示を受信した時に前記他のネットワークへのスタティックルートを生成し、その生成されるスタティックルートにて前記ネットワークを構築したことを特徴とするネットワーク構築方法。
【請求項８】
前記スタティックルートに関して前記ルータ間に前記スタティックルートを張るという命令を出すことで前記スタティックルートの設定を指示し、前記複数のルータ各々が当該命令に応答して自動的に前記スタティックルートを前記ルータ間に生成することを特徴とする請求項７記載のネットワーク構築方法。
【請求項９】
前記複数のルータ各々が、生成するスタティックルートを接続経路として自装置に保持しているか否かを判定し、自装置に保持していない時に当該スタティックルートを生成することを特徴とする請求項７または請求項８記載のネットワーク構築方法。
【請求項１０】
前記複数のルータ各々からの前記スタティックルートの情報を、前記複数のルータとの経路情報を蓄積する前記サーバのルーティングテーブルに反映させることを特徴とする請求項７から請求項９のいずれか記載のネットワーク構築方法。
【請求項１１】
前記サーバ側から前記スタティックルートの設定を指示することを特徴とする請求項７から請求項１０のいずれか記載のネットワーク構築方法。
【請求項１２】
前記他のネットワーク側から前記スタティックルートの設定を指示することを特徴とする請求項７から請求項１０のいずれか記載のネットワーク構築方法。
【発明の詳細な説明】
【０００１】
【発明の属する技術分野】
本発明はネットワーク及びそれに用いるネットワーク構築方法に関し、特にダイナミックルーティングプロトコルによって収集した経路情報を基に経路制御を行うネットワークの構築方法に関する。
【０００２】
【従来の技術】
従来、この種のネットワークにおいては、構築されたネットワークの経路情報をダイナミックルーティングプロトコルによって収集し、収集された経路情報を基に経路制御が行われている。
【０００３】
この経路情報の収集方法としては、例えばゲートウェイを通過しているダイナミックルーティング（ｒｉｐ：ｒｏｕｔｉｎｇ  ｉｎｆｏｒｍａｔｉｏｎ  ｐｒｏｔｏｃｏｌ）のパケットの情報量を観測することによって、最適ルート決定部で最適経路を計算し、その最適経路ゲートウェイに対してスタティックルートを自動に生成してパーソナルコンピユータのルーティングテーブルに登録する方法がある（例えば、特許文献１参照）。
【０００４】
この方法では、パーソナルコンピユータにおいて、最適経路（最適デフォルトゲートウェイ）を、ゲートウェイを通過しているダイナミックルーティングのパケットの情報量を観測し、最適ルート決定部で最適経路を計算し、その最適経路ゲートウェイに対してスタティックルートを自動に生成してパーソナルコンピユータのルーティングテーブルに登録することによって、そのネットワークに導通することができる。
【０００５】
【特許文献１】
特開平７−１６２４１６号公報（第４，５頁、図１）
【０００６】
【発明が解決しようとする課題】
上述した従来のネットワークでは、ネットワークを構築して経路情報を動的に維持するためにルーティングプロトコル（ｒｏｕｔｉｎｇ  ｐｒｏｔｏｃｏｌ）を使用すると、どのプロトコルでも隣接ルータとのセッションの維持のためや経路情報の経路維持のために余分な負荷がネットワークにかかってしまい、ルーティングテーブル（ｒｏｕｔｉｎｇ  ｔａｂｌｅ）にも莫大な件数が登録されることになるという問題がある。
【０００７】
上記の特許文献１によるルーティング情報の自動設定方法では、最適ルート決定部で最適経路を計算し、その最適経路ゲートウェイに対してスタティックルートを自動に生成する際に、ゲートウェイを通過しているダイナミックルーティングのパケットの情報量を観測しなければならず、ネットワークへの余分な負荷を軽減することはできない。
【０００８】
そこで、本発明の目的は上記の問題点を解消し、ネットワークへの余分な負荷を軽減することができるネットワーク及びそれに用いるネットワーク構築方法を提供することにある。
【０００９】
【課題を解決するための手段】
本発明によるネットワークは、サーバと複数のルータとが階層構造で構成され、最下層に他のネットワークが接続されるネットワークであって、
前記他のネットワークへのスタティックルートの設定を前記複数のルータ各々に指示する手段を有し、
前記スタティックルートの設定指示を受信した時に前記他のネットワークへのスタティックルートを生成する手段を前記複数のルータ各々に有し、
前記複数のルータ各々で生成されるスタティックルートにて構築している。
【００１０】
本発明によるネットワーク構築方法は、サーバと複数のルータとが階層構造で構成され、最下層に他のネットワークが接続されるネットワークの構築方法であって、前記他のネットワークへのスタティックルートの設定を前記複数のルータ各々に指示し、前記複数のルータ各々が前記スタティックルートの設定指示を受信した時に前記他のネットワークへのスタティックルートを生成し、その生成されるスタティックルートにて前記ネットワークを構築している。
【００１１】
すなわち、本発明のネットワークは、スタティックルート（ｓｔａｔｉｃ  ｒｏｕｔｅ）を各々のネットワークに設定し、そのスタティックルートの設定をサーバから命令することによって、ルータで自動的にスタティックルートを生成してスタティックルートのネットワークを構築し、ダイナミックルーティングプロトコルによって収集した経路情報の経路制御を行うためのネットワークにかかる負荷を削減することができるので、経路情報の経路制御のための負荷を抑えることが可能となる。
【００１２】
本発明のネットワークでは、経路にスタティックルートを用いて集約することで、経路数を削減し、余分なパケットを削減することによって、ネットワークへの負荷を抑えることが可能となる。つまり、本発明のネットワークでは、ダイナミックルーティングを全く使用せず、ダイナミックルーティングによって使用されるパケットの負荷を軽減することが可能となる。また、パーソナルコンピュータに関しては、パーソナルコンピュータからスタティックルートを張る必要がなく、デフォルトゲートウェイをそのネットワークの出口としている。
【００１３】
本発明のネットワークでは、上位のゲートウェイを指定するだけであり、スタティックルートに関して、サーバからルータとルータとの間にスタティックルートを張るという命令を出し、自動的にスタティックルートをルータ間に生成することによって、ダイナミックルーティングプロトコルを使わずに、ネットワークと導通することが可能になる。
【００１４】
【発明の実施の形態】
次に、本発明の実施例について図面を参照して説明する。図１は本発明の一実施例によるネットワークの構成を示すブロック図である。図１において、本発明の一実施例によるネットワークは最上位層１と、中間層２，３と、最下位層４とから構成されている。
【００１５】
最上位層１にはルータ１１と、スタティックルート（ｓｔａｔｉｃ  ｒｏｕｔｅ）の設定を命令するサーバ１２とが配置され、中間層２にはルータ２１，２２が配置されている。この場合には、最上位層１と中間層２とのうち、最上位層１にいるルータ１１の方が中間層２にいるルータ２１，２２よりも上位ネットワークにいるということを各ルータ１１，２１，２２が事前に知っているということを前提としている。
【００１６】
また、中間層２，３のうち、中間層２にいるルータ２１，２２の方が中間層３にいるルータ３１，３２よりも上位ネットワークにいるということを各ルータ２１，２２，３１，３２が事前に知っているということを前提としている。
【００１７】
中間層３にはルータ３１，３２が配置されており、ルータ３１，３２は最下位層４に接続されているインタフェースをそれぞれのネットワーク４１〜４３毎に持っている。その最下位層４のネットワーク４１〜４３にはそれぞれ図示せぬＰＣ（パーソナルコンピュータ）等の端末があるものとする。
【００１８】
図２は図１のサーバ１２の構成を示すブロック図である。図２において、サーバ１２はスタティックルートメッセージ送受信部１２１と、ルーティングテーブル１２２と、スタティックルートメッセージ作成部１２３と、サーバ機能部１２４とから構成されている。
【００１９】
サーバ１２は最下位層４のネットワーク４１〜４３に対するスタティックルートの作成要求メッセージをスタティックルートメッセージ作成部１２３で作成し、その作成した作成要求メッセージをスタティックルートメッセージ送受信部１２１からルータ１１に送信する。
【００２０】
また、サーバ１２はルータ１１で作成されたスタティックルートの情報をスタティックルートメッセージ送受信部１２１で受信すると、そのスタティックルートの情報をルーティングテーブル１２２に登録し、その情報がスタティックルート完了情報かどうかをスタティックルートメッセージ送受信部１２１にてチェックする。
【００２１】
この情報がスタティックルート完了情報でない場合、サーバ１２は中間層３のルータ３１，３２に対して、最下位層４のネットワーク４１〜４３に対するスタティックルートの作成要求メッセージをスタティックルートメッセージ作成部１２３で作成し、その作成した作成要求メッセージをスタティックルートメッセージ送受信部１２１からルータ３１，３２に送信する。
【００２２】
また、この情報がスタティックルート完了情報である場合、サーバ１２はさらに下位層にあるルータ２１，２２，３１，３２に対してスタティックルートの作成要求メッセージを送信しない。
【００２３】
図３は図１のルータ２１の構成を示すブロック図である。図３において、ルータ２１はスタティックルート情報送受信部２１１と、スタティックルート情報作成部２１２と、ルーティングテーブル２１３と、ルーティング機能部２１４とから構成され、ルーティング機能部２１４にはスタティックルート設定部２１５とデフォルトルート（ｄｅｆａｕｌｔ  ｒｏｕｔｅ）設定部２１６とを備えている。尚、ルータ１１，２２，３１，３２の構成も、上記のルータ２１の構成と同様であり、それらの動作も後述するルータ２１の動作と同様である。
【００２４】
ルータ２１はサーバ１２からスタティックルートの作成要求メッセージをスタティックルート情報送受信部２１１で受信すると、そのメッセージが最下位層４のネットワーク４１〜４３に対するスタティックルートを作成するように要求しているので、最下位層４のネットワークアドレスを接続（ｃｏｎｎｅｃｔｅｄ）経路で持っていないかをルーティングテーブル２１３にてチェックする。
【００２５】
ルータ２１はネットワークアドレスを接続経路で持っていれば、スタティックルートを作成せず、スタティックルート完了情報をスタティックルート情報作成部２１２にて作成し、その情報をスタティックルート情報送受信部２１１から上位層のルータ１１に送信する。
【００２６】
また、ルータ２１はネットワークアドレスを接続経路で持っていなければ、チェックが完了すると、ルーティング機能部２１４のスタティックルート設定部２１５にて設定を行う。ここでの設定では、スタティックルートのアドレスとマスクとに関して、サーバ１２からのスタティックルートの作成要求メッセージに含まれているので、そのアドレスとマスクとを設定する。この場合、ネクストホップ（ｎｅｘｔ−ｈｏｐ）には、中間層３がルータ２１のネットワークと接続しているインタフェースを設定し、そのスタティックルートをルーティングテーブル２１３に設定する。
【００２７】
ルーティングテーブル２１３への設定が終了すると、デフォルトルート設定部２１６は最上位層１と接続しているインタフェースをデフォルトルートとして設定する。これらの処理全てが完了すると、ルータ２１は上記の処理で設定したスタティックルートの情報［スタティックルートのアドレス及びマスク、デフォルトルート、下位層（ここでは最下位層４）に接続しているインタフェースのアドレス］を基にスタティックルート情報作成部２１２にて送信用の情報を作成し、その情報をスタティックルート情報送受信部２１１からルータ１１とサーバ１２とに送信する。
【００２８】
ルータ２１は下位層のルータから送られてきたスタティックルート完了情報をスタティックルート情報送受信部２１１で受信すると、そのスタティックルート完了情報をスタティックルート情報送受信部２１１から上位層のルータに送信する。
【００２９】
図４は本発明の一実施例によるネットワークの構成の具体例を示すブロック図であり、図５は図３のルータ２１のルーティングテーブル２１３の構成例を示す図である。図５は既にスタティックルートを設定し終わった図４に示すネットワークにおけるルータ２１のルーティングテーブル２１３の構成を示している。
【００３０】
図５において、ルーティングテーブル２１３はプロトコル（Ｐｒｏｔｏｃｏｌ）Ａ１と、アドレス（ａｄｄｒｅｓｓ）Ａ２と、ネクストホップ（ｎｅｘｔ−ｈｏｐ）Ａ３と、レシーブインタフェース（ｒｅｃｅｉｖｅ−ｉｎｔｅｒｆａｃｅ）Ａ４と、デフォルトルートＡ５とから構成されている。以下、図４を参照して図５のルーティングテーブル２１３の各項目について述べる。
【００３１】
デフォルトルートＡ５は、中間層２のルータ２１と上位ネットワークとを接続しているインタフェースのアドレス「Ｄｅｆａｕｌｔ  Ｇａｔｅｗａｙ  １９２．１．１．１  」を指している。
【００３２】
プロトコルＡ１は、どのプロトコル「Ｃ（ｃｏｎｎｅｃｔｅｄ）」，「Ｓ（ｓｔａｔｉｃ）」で経路を受信しているを示している。ルータ２１の場合には、上位ネットワークと接続している経路が２つ、最下位層のネットワーク４１〜４３に到達するためのスタティックルートが３つ必要となる。
【００３３】
アドレスＡ２は、ターゲットのアドレス「１９２．１．１．０／２４」，「１９２．１．２．０／２４」，「１９２．１．２．４／２４」，「１９２．１．２．５／２４」，「１９２．１．３．０／２４」，「１９２．１．４．０／２４」，「１９２．１．５．０／２４」を指しており、それぞれのネットワークに対しての経路をルーティングテーブル２１３に持っていることになる。
【００３４】
ネクストホップＡ３は、そのターゲットのアドレスに対して、次の行き先「ｖｉａ  １９２．１．１．３  」，「ｖｉａ  １９２．１．２．３  」，「ｖｉａ  １９２．１．２．４  」，「ｖｉａ  １９２．１．２．５  」を示している。自動で生成されたスタティックルートに関しては、自装置より下位層にいるルータ（この場合、中間層３に配置されたルータ３１，３２）が接続しているインタフェースのアドレスになる。
【００３５】
レシーブインタフェースＡ４は、その経路を受けたインタフェース「１９２．１．１．３  のｉｎｔｅｒｆａｃｅ」，「１９２．１．２．３  のｉｎｔｅｒｆａｃｅ」となる。スタティックルートの場合には、その下位層と接続しているインタフェースを設定する。
【００３６】
図６は本発明の一実施例によるネットワークの動作を示すシーケンスチャートである。これら図１と図６とを参照して本発明の一実施例によるネットワークの動作について説明する。
【００３７】
まず、この図１に示すようなネットワークが構築された時に、サーバ１２は中間層２に配置されているルータ２１，２２に、最下位層４のネットワーク４１〜４３に向けてのスタティックルートを設定するように作成要求メッセージを送信する（図６のＳ１）。
【００３８】
中間層２にあるルータ２１，２２はこの作成要求メッセージを受取ると、設定するスタティックルートのアドレスを自装置において接続経路として持っていないことをチェックする（図６のＳ２）。
【００３９】
中間層２のルータ２１，２２はこのチェックにおいて、自装置の下位層にある中間層３のルータ３１，３２と接続しているインタフェースがあるので、最下位層４のネットワーク４１〜４３に対するスタティックルートを中間層３の中間層２と接続しているインタフェースをｎｅｘｔ−ｈｏｐとして設定する。中間層２のルータ２１，２２はスタティックルートを作成した後、中間層２が最上位層１に接続しているインタフェースをデフォルトルートに設定する（図６のＳ３）。
【００４０】
中間層２のルータ２１，２２は上記の処理で設定したスタティックルートの情報をルータ１１とサーバ１２とに送る（図６のＳ４，Ｓ５）。ここで、ルータ１１とサーバ１２とに送る情報の内容としては、設定したスタティックルートのアドレス及びマスク、デフォルトルートのアドレス、下位層のルータ（この場合、中間層３のルータ３１，３２）に接続しているインタフェースのアドレスの３つの情報を含めたメッセージを送信する。
【００４１】
サーバ１２はこのスタティックルートの情報を受取ると、スタティックルート完了情報送信を受取っていないため、中間層３のルータ３１，３２へスタティックルートの作成要求メッセージを送信する（図６のＳ６）。ここで、スタティックルート完了情報送信とは、スタティックルートのアドレスを接続経路として自装置が持っていた時に、スタティックルートを設定する必要がないので、スタティックルートの完了通知をサーバ１２に送信して通知することを示している。
【００４２】
サーバ１２は中間層３のルータ３１，３２にスタティックルートの作成要求メッセージを送信すると、中間層２のルータ２１，２２から受取ったスタティックルートの情報をサーバ１２のルーティングテーブル１２２にスタティックルートのアドレス及びマスク、デフォルトルートのアドレス、下位層のルータ（この場合、中間層３のルータ３１，３２）に接続しているインタフェースのアドレスの情報を反映させる（図６のＳ７）。
【００４３】
中間層３のルータ３１，３２はサーバ１２からスタティックルートの作成要求メッセージを受取ると、自装置の下位層に最下位層４（ネットワーク４１〜４３）があることをチェックする（図６のＳ８）。その後、中間層３のルータ３１，３２は自装置の下位層（ここでは、最下位層４）にスタティックルートのアドレスを自装置が接続経路として持っているかを調べる。
【００４４】
中間層３のルータ３１，３２は下位層にネットワーク４１〜４３を接続経路として持っているので、スタティックルートを作成せず、上位層のルータ（中間層２のルータ２１，２２）のインタフェースをデフォルトルートに設定する（図６のＳ９）。
【００４５】
この場合、前提条件として、最下位層４にあるネットワーク４１〜４３は、デフォルトルートをそれぞれの上位層のルータ（中間層３のルータ３１，３２）に接続しているインタフェースにしておく。その後に、中間層３のルータ３１，３２は、スタティックルートを作成する必要がなかったため、ルータ１１とサーバ１２とにスタティックルート完了情報を送信する（図６のＳ１０〜Ｓ１２）。
【００４６】
サーバ１２は中間層３のルータ３１，３２からスタティックルート完了情報を受取ると、サーバ１２のルーティングテーブル１２２に中間層３のルータ３１，３２からのスタティックルート完了情報を反映させる（図６のＳ１３）。
【００４７】
ルータ１１は中間層３に配置されているルータ３１，３２からのスタティックルート完了情報を受取ると、ルータ３１，３２から受取ったスタティックルート完了情報を基に、最下位層４にあるネットワーク４１〜４３向けのスタティックルートを設定する（図６のＳ１４）。ルータ１１は上記の処理で設定したスタティックルートの情報をサーバ１２に送る。ここで、サーバ１２に送る情報の内容としては、設定したスタティックルートのアドレス及びマスク、ルータ２１，２２に接続しているインタフェースのアドレスの２つの情報を含むメッセージを送信する。
【００４８】
サーバ１２はルータ１１からスタティックルートの情報を受取ると、サーバ１２のルーティングテーブル１２２にスタティックルートのアドレス及びマスク、ルータ２１，２２に接続しているインタフェースのアドレスの情報を反映させる（図６のＳ１６）。
【００４９】
このように、本実施例では、スタティックルートのみでネットワークが構成されることによって、経路情報の経路維持のために必要なパケット［ＯＳＰＦ（Ｏｐｅｎ  Ｓｈｏｒｔｅｓｔ  Ｐａｔｈ  Ｆｉｒｓｔ）でいうところのｈｅｌｌｏパケット］が必要なくなるとともに、それぞれのルータのルーティングテーブルに負荷がかからなくなる。
【００５０】
もし、下位層のネットワークがダウンした時には、ルータ２１，２２のネットワークに接続しているリンクがダウンするために、スタティックルートがアップ（ＵＰ）しなくなるので、ダウン（Ｄｏｗｎ）を検出した時には、ルータ２１，２２がサーバ１２にスタティックルートがダウンしていることを通知してあげれば、サーバ１２はルーティングテーブル１２２からそのスタティックルートをはずせばよい。そのため、経路情報の経路維持にかかるパケットが必要なくなり、そのためのネットワークに対する負荷を抑えることができる。
【００５１】
次に、本発明の他の実施例について説明する。本発明の他の実施例によるネットワークの構成は図１に示す本発明の一実施例によるネットワークと同様の構成となっているので、その図１を参照して本発明の他の実施例について説明する。
【００５２】
最下位層４にあるネットワーク４１〜４３から中間層３にあるルータ３１，３２にネットワーク４１〜４３向けのスタティックルートを設定するようにメッセージを送信する。中間層３のルータ３１，３２はこのメッセージを受取ると、スタティックルートのアドレスを、自装置で接続経路として持っているので、スタティックルートを作成せず、自装置の上位層にいるルータ（ここでは、中間層２のルータ２１，２２）にスタティックルート設定要求を送信し、ルータ３１，３２の上位にいるルータ２１，２２に接続しているインタフェースをデフォルトルートに設定する。
【００５３】
中間層２のルータ２１，２２はそのメッセージを受取ると、スタティックルートのアドレスを自装置で接続経路として持っているかをチェックする。ルータ２１，２２はその接続経路を自装置で持っていないので、最下位層４にあるネットワーク４１〜４３向けのスタティックルートを作成し、ルータ２１，２２の上位にいるルータ１１とサーバ１２とに接続しているインタフェースをデフォルトルートに設定する。
【００５４】
ルータ２１，２２は自装置で設定したスタティックルートの情報をルータ１１とサーバ１２とに送る。ここで、ルータ１１、サーバ１２に送るスタティックルートの情報の内容としては、設定したスタティックルートのアドレス及びマスク、ルータ１１に接続しているインタフェースのアドレス、下位層のネットワークに接続しているインタフェースのアドレスの３つの情報を含むメッセージを送信する。
【００５５】
サーバ１２はルータ２１，２２からスタティックルートの情報を受取ると、サーバ１２のルーティングテーブル１２２にスタティックルートのアドレス及びマスク、ルータ１１に接続しているインタフェースのアドレス、下位層ネットワークに接続しているインタフェースのアドレスの情報を反映させる。
【００５６】
ルータ１１はルータ２１，２２からスタティックルートの情報を受取ると、ルータ２１，２２から受取ったスタティックルートの情報を基に、最下位層４にあるネットワーク４１〜４３向けのスタティックルートを設定する。ルータ１１は自装置で設定したスタティックルートの情報をサーバ１２に送る。ここで、サーバ１２に送る情報の内容としては、設定したスタティックルートのアドレス及びマスク、ルータ２１，２２に接続しているインタフェースのアドレスの２つの情報を含むメッセージを送信する。
【００５７】
サーバ１２はルータ１１からスタティックルートの情報を受取ると、サーバ１２のルーティングテーブル１２２にスタティックルートのアドレス及びマスク、ルータ２１，２２に接続しているインタフェースのアドレスの情報を反映させる。
【００５８】
【発明の効果】
以上説明したように本発明は、上記のような構成及び動作とすることで、ネットワークへの余分な負荷を軽減することができるという効果が得られる。
【図面の簡単な説明】
【図１】本発明の一実施例によるネットワークの構成を示すブロック図である。
【図２】図１のサーバの構成を示すブロック図である。
【図３】図１のルータの構成を示すブロック図である。
【図４】本発明の一実施例によるネットワークの構成の具体例を示すブロック図である。
【図５】図３のルータのルーティングテーブルの構成例を示す図である。
【図６】本発明の一実施例によるネットワークの動作を示すシーケンスチャートである。
【符号の説明】
１  最上位層
２，３  中間層
４  最下位層
１１，２１，２２，
３１，３２  ルータ
１２  サーバ
４１〜４３  ネットワーク
１２１  スタティックルートメッセージ送受信部
１２２，２１３  ルーティングテーブル
１２３  スタティックルートメッセージ作成部
１２４  サーバ機能部
２１１  スタティックルート情報送受信部
２１２  スタティックルート情報作成部
２１４  ルーティング機能部
２１５  スタティックルート設定部
２１６  デフォルトルート設定部
【図１】
2004356781.tif 000003
【図２】
2004356781.tif 000004
【図３】
2004356781.tif 000005
【図４】
2004356781.tif 000006
【図５】
2004356781.tif 000007
【図６】
2004356781.tif 000008